(57)【特許請求の範囲】
【請求項１】
煙突内部に作業者がのれるゴンドラを昇降自在に設け、煙突内部の内面層の破砕又は付着物の除去を行う人が操作する除去装置を前記ゴンドラに設け、同除去装置による補修箇所又は補修箇所の上方に向けて水を噴出する水噴出装置を前記ゴンドラに設け、しかもゴンドラに回転盤を回転自在に設け、同回転盤上に除去装置と水噴出装置を設けるようにして除去装置と水噴出装置を回転盤とともに回転させて煙突内面の全面を補修できるようにし、煙突内部の内面に付着した破砕片・粉塵を噴出した水で下方へ流下させながら煙突内部の内面層又は付着物の除去を行うことを特徴とする煙突補修作業装置。
【請求項２】
所定の高さで横に架け渡す横部材を有するフレームを回転盤上に設け、除去装置を索体でフレームの横部材に吊り下げる構造にした請求項１記載の煙突補修作業装置。
【請求項３】
煙突内部に作業者がのれるゴンドラを昇降自在に設け、煙突内部の内面層の破砕又は付着物の除去を行う人が操作する除去装置を前記ゴンドラに設け、同除去装置による補修箇所又は補修箇所の上方に向けて水を噴出する水噴出装置を前記ゴンドラに設け、しかも所定の高さで横に架け渡す横部材を有するフレームをゴンドラに設け、除去装置を索体でフレームの横部材に吊り下げ、複数の水噴出装置を噴出方向を変更できるよう前記フレームに取り付ける構造にし、煙突内部の内面に付着した破砕片・粉塵を噴出した水で下方へ流下させながら煙突内部の内面層又は付着物の除去を行うことを特徴とする煙突補修作業装置。
【発明の詳細な説明】
【０００１】
【発明の属する技術分野】
本発明は、煙突の内部の内壁面の耐火層補修・耐火層の張り替え・内壁面の一部切除・内壁面の表面洗浄・器具取付等の作業に伴う粉塵の外部への洩出を少なくし、粉塵による作業環境の悪化を抑制する技術に関し、主に大型の工場・プラント・火力発電所・大型焼却炉・ボイラー等の大型・中型の煙突の補修作業に有用である。
【０００２】
【従来の技術】
従来、煙突は長年使用されると煙突の内壁面が劣化し、損傷した耐火層の部分補修作業が必要となったり、又数年毎に耐火層の張り替え作業を行うようにしている。これらの煙突補修作業には、煙突の内壁面の表層・耐火層を剥離・切断・研磨するため、ブレーカーはつり機・カッター装置・研磨機が使用され、粉塵飛散が発生する。この粉塵の中での作業はきわめて悪い作業環境下での作業となっていた。また、粉塵が煙突の排煙口から外部に放散すると周辺に迷惑をかけてしまうこともあった。
【０００３】
【発明が解決しようとする課題】
本発明が解決しようとする課題は、従来のこれらの問題点を解消し、粉塵による作業環境の悪化を改善し、粉塵の外部への放散を抑制する煙突補修作業装置を提供することにある。
【０００４】
【課題を解決するための手段】
かかる課題を解決した本発明の構成は、
１）  煙突内部に作業者がのれるゴンドラを昇降自在に設け、煙突内部の内面層の破砕又は付着物の除去を行う人が操作する除去装置を前記ゴンドラに設け、同除去装置による補修箇所又は補修箇所の上方に向けて水を噴出する水噴出装置を前記ゴンドラに設け、しかもゴンドラに回転盤を回転自在に設け、同回転盤上に除去装置と水噴出装置を設けるようにして除去装置と水噴出装置を回転盤とともに回転させて煙突内面の全面を補修できるようにし、煙突内部の内面に付着した破砕片・粉塵を噴出した水で下方へ流下させながら煙突内部の内面層又は付着物の除去を行うことを特徴とする煙突補修作業装置
２）  所定の高さで横に架け渡す横部材を有するフレームを回転盤上に設け、除去装置を索体でフレームの横部材に吊り下げる構造にした前記１）記載の煙突補修作業装置
３）  煙突内部に作業者がのれるゴンドラを昇降自在に設け、煙突内部の内面層の破砕又は付着物の除去を行う人が操作する除去装置を前記ゴンドラに設け、同除去装置による補修箇所又は補修箇所の上方に向けて水を噴出する水噴出装置を前記ゴンドラに設け、しかも所定の高さで横に架け渡す横部材を有するフレームをゴンドラに設け、除去装置を索体でフレームの横部材に吊り下げ、複数の水噴出装置を噴出方向を変更できるよう前記フレームに取り付ける構造にし、煙突内部の内面に付着した破砕片・粉塵を噴出した水で下方へ流下させながら煙突内部の内面層又は付着物の除去を行うことを特徴とする煙突補修作業装置
にある。
【０００５】
【作用】
本発明では、煙突内面の補修を行う際に水を噴出しながら行うようにする。補修作業に伴って煙突内面に付着した破砕片・粉塵は噴出した水の水流によって下方に流されたり、水の粒に捕捉され重くなることによって下方に落下し、飛散を抑える。
噴霧状に噴出するものは、広い範囲に小さな粒の水の粒を噴霧状に噴出して効率よく粉塵を水の粒で捕捉できるようにする。
ゴンドラに水噴出装置を設けたものは、補修作業の際の粉塵を噴出した水の水流で下方に流したり、水の粒で捕捉したりして飛散を抑える煙突補修作業装置にする。
ゴンドラに回転盤を設けたものは、回転盤とともに回転盤に設けた除去装置と水噴出装置を回転させて水を噴出しながら除去作業が煙突内面全周に渡ってできるようにする。
回転盤上に横部材を有するフレームを設け、除去装置を索体で横部材に吊り下げたものは、作業者が除去装置を持ち上げたり、支持しなくてよいようにし、除去装置の除去作業の方向を自在に変更できる。
ゴンドラに横部材を有するフレームを設け、除去装置を索体で横部材に吊り下げ、複数の水噴出装置をフレームに取り付けたものは、作業者が除去装置を持ち上げたり、支持しなくてよいようにし、吊り下げ位置を変えて除去作業が煙突内面全周に渡ってできるようにし、フレームに取り付けた複数の水噴出装置の噴出方向を変えて煙突内面全周に渡って行われる除去作業の補修箇所又は補修箇所の上方に水を噴出する。
【０００６】
【発明の実施の形態】
水の噴出は、作業中、噴出し続けるようにしても間欠的に噴出するようにしてもどちらでもよい。
水の噴出には、噴霧状にしたものや水膜状にするものなどがあり、少ない水量で効率よく粉塵を下方に流せるものが好ましい。
水噴出装置には噴出口部分を回転させて多方向に噴出させるようにしてもよい。
【０００７】
【実施例】
本発明の実施例について図面を参照して具体的に説明する。
実施例１（図１〜３参照）
図１〜３に示す実施例１は、煙突内部で噴霧状に噴出しながら補修工事を行う煙突補修作業方法の例であって、ゴンドラに除去装置と水噴出装置を設けた煙突補修作業装置の例である。
図１〜３は実施例１の煙突補修作業方法及び煙突補修作業装置の説明図である。
図中、１は煙突補修作業装置、２は除去装置として用いたブレーカー装置、２ａはコンプレッサー、２ｂは索体として用いた吊り下げ紐、３はゴンドラ、３ａは吊り下げ部、３ｂはガイド車輪、３ｃはフレーム、３ｄは押付保持装置、３ｅはフレームの横部材、４はウインチ装置、４ａはワイヤ、４ｂは滑車、５は回転盤として用いた回転テーブル、６は橋渡し部材、７は水噴出装置、８はホース、９は圧送ポンプ、１０は煙突、１０ａは煙突口、１０ｂは耐火層、１０ｃは鉄皮、１０ｄは人穴、ｈは人である。
【０００８】
実施例１の煙突補修作業方法では図１〜３に示すように煙突補修作業装置１を用いる。煙突補修作業装置１は、煙突１０の外部に設置したウインチ装置４より引き出したワイヤ４ａを煙突１０の上端まで伸ばし、滑車４ｂに取り付けて煙突口１０ａより煙突内部に垂らすようにする。このワイヤ４ａの端をゴンドラ３の吊り下げ部３ａに取り付けるようにしてゴンドラ３を煙突内部に吊り下げるようにする。ゴンドラ３の側面にはガイド車輪３ｂを外周方向に突出させて設け車輪が煙突１０の内壁面に接して上下動するよう４箇所に設け、ゴンドラ３が煙突内部をスムーズに上下動できるようにする。
また、ガイド車輪３ｂより上方のゴンドラ３の側面には、ネジ軸の回転で押付面部を進退させて煙突１０の内壁に押付面部を押付けてゴンドラ３を保持する押付保持装置３ｄを設ける。
ゴンドラ３には作業者が回転方向に力を加えると回転する回転テーブル５を設け、回転テーブル５上にブレーカー装置２を設け、回転テーブル５上にフレーム３ｃを設け、フレーム３ｃの横部材３ｅから吊り下げ紐２ｂでブレーカー装置２を吊り下げるようにして取り付け、さらに回転テーブル上にブレーカー装置２を作動させるためのコンプレッサー２ａを設ける。これによりブレーカー装置２による除去作業は３６０°の全周に渡って行えるようになる。
ブレーカー装置２の上方には、煙突１０の内部の内周近傍に水を噴出する水噴出装置７をブレーカー装置２とともに回転するようフレーム３ｃに設ける。
煙突１０の外部には水噴出装置７に水を送るための圧送ポンプ９を設け、圧送ポンプ９と水噴出装置７をホース８で接続する。
煙突１０は円筒状の鉄皮１０ｃの内側に耐火層１０ｂを設けたものである。
【０００９】
実施例１の煙突補修作業方法で補修を行うには、煙突１０の人穴１０ｄに滑車４ｂを備えた橋渡し部材６を差し込むようにして、橋渡し部材６が煙道をはし渡すようにし、ウインチ装置４のワイヤ４ａが滑車４ｂでターンしてゴンドラ３の吊り下げ部３ａに取り付けられるようにし、ウインチ装置４を作動させてゴンドラ３を所定の高さまで昇降させる。次に押付面部を進行させて煙突１０の内壁に押し付け、ゴンドラ３を安定した状態で保持し、次に圧送ポンプ９を作動させて水を水噴出装置７に送り、水噴出装置７の噴出口から水を噴霧状に噴出させる。噴出は補修箇所の上方に向かって噴出するようにする。次に、ブレーカー装置２を作動させ、煙突１０の耐火層１０ｂの剥離除去作業を行う。これに伴って破砕片・粉塵が発生するが、上方から噴出された水によって舞い上がる粉塵が水に捕捉され流されて落下もしくは煙突１０の内壁をつたって水とともに下方に流れる。また、噴霧状に小さな粒で噴出することによって、広い範囲で水を噴出することができるので、広い範囲で水の粒に粉塵を捕捉させるようにし、粒の重さにより、舞い上がって煙突口１０ａから外部に飛散するようなことなく、下方に流下又は落下するようにする。また、煙突内面に付着した破砕片や粉塵は、煙突内面をつたって流れる水によって洗い流されるようにして下方に流れ落ちる。
このように実施例１の煙突補修作業方法及び煙突補修作業装置１によって、煙突口１０ａから外部に飛散するのを抑制して周囲に迷惑がかからないように作業でき、煙突内部の作業環境を改善することができる。
【００１１】
実施例２（図４参照）
図４に示すのは、ゴンドラに横部材を有するフレームを設け、除去装置を索体で横部材に吊り下げ、複数の水噴出装置をフレームに取り付けた煙突補修作業装置の例である。
図４は、実施例２の煙突補修作業装置の説明図である。
図中、１１はバルブである。
実施例２では、ゴンドラ３に回転テーブル５を設けずにフレーム３ｃを設け、フレーム３ｃの上部部分を横部材とし、ブレーカー装置を吊り下げ紐で吊り下げる。さらに、フレーム３ｃの４箇所には水噴出装置７を首振り自在に設けて水の噴出方向を変更できるようにする。また、４箇所に設けた水噴出装置７に水を供給するために接続するホースにはそれぞれバルブ１１を取り付ける。
除去作業は、ブレーカー装置２を吊り下げる位置を変更しながら煙突内面全周に行うようにし、その際にブレーカー装置２の吊り下げ位置に近い水噴出装置７のバルブ１１を操作し、適した噴出方向になるようにして水を噴出させながら行う。このような構造でコストをさらに抑制して水を噴出させながら除去作業が行える煙突補修作業装置にしてもよい。
その他符号、構成、作用、使い方は実施例１と同じである。
【００１２】
【発明の効果】
本発明によれば、粉塵による作業環境の悪化を改善し、粉塵の外部への放散を抑制する煙突補修作業方法及び煙突補修作業装置にできる。
噴霧状に噴出するものは、効率よく粉塵を飛散しないよう下方に流すことができる。
ゴンドラに回転盤を設けたものは、さらに効率よく補修作業を行うことができる煙突補修作業装置にできる。
回転盤上に横部材を有するフレームを設け、除去装置を索体で横部材に吊り下げたものは、より楽に効率よく作業を行うことができる。
ゴンドラに横部材を有するフレームを設け、除去装置を索体で横部材に吊り下げ、複数の水噴出装置をフレームに取り付けたものは、より楽に効率よく作業を行うことができ、コストを抑制した煙突補修作業装置にできる。
【図面の簡単な説明】
【図１】実施例１の煙突補修作業方法及び煙突補修作業装置の説明図である。
【図２】実施例１の煙突補修作業方法及び煙突補修作業装置の説明図である。
【図３】実施例１の煙突補修作業方法及び煙突補修作業装置の説明図である。
【図４】実施例２の煙突補修作業装置の説明図である。
【符号の説明】
１  煙突補修作業装置
２  ブレーカー装置
２ａ  コンプレッサー
２ｂ  吊り下げ紐
３  ゴンドラ
３ａ  吊り下げ部
３ｂ  ガイド車輪
３ｃ  フレーム
３ｄ  押付保持装置
３ｅ  （フレームの）横部材
４  ウインチ装置
４ａ  ワイヤ
４ｂ  滑車
５  回転テーブル
６  橋渡し部材
７  水噴出装置
８  ホース
９  圧送ポンプ
１０  煙突
１０ａ  煙突口
１０ｂ  耐火層
１０ｃ  鉄皮
１０ｄ  人穴
１１  バルブ
ｈ  人
【図１】
0003774633.tif 000002
【図２】
0003774633.tif 000003
【図３】
0003774633.tif 000004
【図４】
0003774633.tif 000005